(57)【要約】【課題】一度の作業で穴明けを可能にし、且つファイルに容易に着脱でき、持ち運びを容易に行うことができるパンチ器具を提供することを目的とする。【解決手段】本発明のパンチ器具１は、規格紙１００に対して穴明けを行うための複数のパンチ刃が配設されている刃付板３、当該刃付板３のパンチ刃を嵌合するための複数のパンチ穴が配設されている穴明き台５と、規格紙１００の位置を指示するための折り返し部が連接され、ファイルに綴じ込むためのパンチ穴と当該刃付板３のパンチ刃を嵌合するためのパンチ穴が配設されているガイドシート７を備え、前記刃付板３と前記穴明き台５、及び前記ガイドシート７を収納するための収納部材９から構成される。【選択図】図１８
2008238346.tif 000002
【特許請求の範囲】
【請求項１】
略長方形状の板体からなる刃付板本体の一方の長辺の所定の位置に、少なくとも１枚の紙を同時に着脱可能な綴じ込み機能を備えたファイルに配設される綴じ込み器具の間隔に等しい間隔で、規格紙に対して穴明けを行うための複数のパンチ刃が配設されている刃付板と、略長方形状の板体からなる穴明き台本体の一方の長辺の所定の位置に、前記パンチ刃の間隔に等しい間隔で配設された、当該刃付板のパンチ刃を嵌合するための複数のパンチ穴が配設されている穴明き台と、規格紙と略同形状の薄板体からなり、当該薄板体の長辺の両端の所定の位置に前記パンチ刃の間隔に等しい間隔でパンチ穴が配設されるとともに、当該薄板体の短辺の両端には、規格紙の位置を定置するために、短辺の両端に断面略Ｌ字状の折り返し部が、当該薄板体の短辺の一方の端から少なくとも前記刃付板の長手方向の端面幅分省かれているように形成されたガイドシートを備え、断面が長方形で側面にスリットが形成された偏平筒であり、前記穴明き台、前記ガイドシート、前記刃付板の順に重ねて一体化させたとき、スリットの空間部より長手方向にスライドして挿入可能となる、前記刃付板と前記穴明き台、及び前記ガイドの収納するための収納部材、によって構成されることを特徴とするパンチ器具。
【請求項２】
前記刃付板の長辺のパンチ刃が配設されている側の端に直交して、折り返し部が形成されており、当該刃付板の折り返し部の高さが前記ガイドシート及び穴明き台を組み合わせた時の厚さと等しいことを特徴とする請求項１に記載のパンチ器具。
【請求項３】
前記穴明き台の長辺のパンチ穴が配設されている側の端に直交して、折り返し部が形成されており、当該穴明き台の折り返し部の高さは前記ガイドシートの厚さと等しいことを特徴とする請求項１または請求項２に記載のパンチ器具。
【請求項４】
前記穴明き台の短辺幅は前記刃付板の折り返し部の幅分短いことを特徴とする請求項１ないし請求項３のいずれかに記載のパンチ器具。
【請求項５】
前記ガイドシートの両端に折り返し部にさらに、内側に向かって第２の折り返し部が形成されていることを特徴とする請求項１に記載のパンチ器具。
【発明の詳細な説明】
【技術分野】
【０００１】
本発明は、パンチ器具に関する。さらに詳しくは、Ａ４やＢ５の規格紙に所定のパンチ穴を穴明けすることができ、且つファイルに容易に綴じこむことができるパンチ器具に関するものである。
【背景技術】
【０００２】
従来、書類をファイルに綴じ込むために、書類の片端一列に所定された複数のパンチ穴を穴明けするパンチ器具が使用され、規格紙Ａ４は３０穴、規格紙Ｂ５は２６穴のパンチ穴が明けられてファイルに綴じられている。この規格紙に穴明けする従来の多孔穴明けパンチはパンチを移動させながら穴明けするようにしている。ここに例示する従来例ではパンチにより一度に６穴程度を明けられるようになっている。
【０００３】
この種のパンチ器具としては、例えば、平面長方形状の基板と、前記基板に回動機構を介して回動可能に連結した可動板とからなり、基板には、長手方向の端縁に沿って形成された複数の綴じ穴を形成し、前記回動機構を挟んで綴じ穴とは反対側に上記綴じ穴の間隔に等しい間隔で形成された複数のパンチ刃穿孔刃用穴を形成してなり、可動板の内側面には、前記穿孔刃用穴に嵌入する複数個の穿孔刃を固定し、先端面には、上記可動板を上記基板に対して押し付けるための押圧突片が突設されている構成のパンチ器具が提供されている。（例えば、特許文献１等を参照。）
【０００４】
また、他のパンチ器具としては、スライドレールに一列に必要個数のパンチを上下動可能に設け、該パンチのそれぞれに該パンチに対して直交するように突出する作動ピンを設け、該作動ピンに係合してパンチを上下動させるスライダーを前記スライドレールに移動可能に設けた構成のパンチ器具が提供されている。（例えば、特許文献２等を参照。）
【０００５】
【特許文献１】実用新案登録第３０６５３１２号公報（［００１７］〜［００５７］、［図１］〜［図６］）
【特許文献２】特許第３１７０７３７号公報（［０００２］〜［００２８］、［図１］〜［図１３］）
【発明の開示】
【発明が解決しようとする課題】
【０００６】
しかし、従来の技術のパンチ器具は、手帳などに綴じ込んで一緒に携帯することができる小型の穴明けパンチは存在したが、Ａ４やＢ５のファイルに綴じ込んで一緒に携帯することができる多穴式穴明けパンチは存在しなかった。また、この種のパンチ器具は、３０穴や２６穴のような多穴を明けるには複数回作業を繰り返さなければならなかった。また、特許文献２は、あまりコンパクトでないため、普段携帯するには不便な穴明け器具であるという点で問題があった。
【０００７】
本発明は上記課題に鑑みなされたもので、一度の作業で穴明けを可能にし、且つファイルに容易に着脱でき、持ち運びを容易に行うことができるパンチ器具を提供することを目的とする。
【課題を解決するための手段】
【０００８】
この目的を達成するため、本発明の請求項１に係るパンチ器具は、略長方形状の板体からなる刃付板本体の一方の長辺の所定の位置に、少なくとも１枚の紙を同時に着脱可能な綴じ込み機能を備えたファイルに配設される綴じ込み器具の間隔に等しい間隔で、規格紙に対して穴明けを行うための複数のパンチ刃が配設されている刃付板と、略長方形状の板体からなる穴明き台本体の一方の長辺の所定の位置に、前記パンチ刃の間隔に等しい間隔で配設された、当該刃付板のパンチ刃を嵌合するための複数のパンチ穴が配設されている穴明き台と、規格紙と略同形状の薄板体からなり、当該薄板体の長辺の両端の所定の位置に前記パンチ刃の間隔に等しい間隔でパンチ穴が配設されるとともに、当該薄板体の短辺の両端には、規格紙の位置を定置するために、短辺の両端に断面略Ｌ字状の折り返し部が、当該薄板体の短辺の一方の端から少なくとも前記刃付板の長手方向の端面幅分省かれているように形成されたガイドシートを備え、断面が長方形で形成された偏平筒であり、前記穴明き台、前記ガイドシート、前記刃付板の順に重ねて一体化させたとき、スリットの空間部より長手方向にスライドして挿入可能となる、前記刃付板と前記穴明き台、及び前記ガイドシートの収納するための収納部材、によって構成されることを特徴とする。
【０００９】
本発明の請求項２に係るパンチ器具は、前記した請求項１において、前記刃付板の長辺のパンチ刃が配設されている側の端に直交して、折り返し部が形成されており、当該刃付板の折り返し部の高さが前記ガイドシート及び穴明き台を組み合わせた時の厚さと等しいことを特徴とする。
【００１０】
本発明の請求項３に係るパンチ器具は、前記した請求項１または請求項２において、前記した穴明き台の長辺のパンチ穴が配設されている側の端に直交して、折り返し部が形成されており、当該穴明き台の折り返し部の高さは前記ガイドシートの厚さと等しいことを特徴とする。
【００１１】
本発明の請求項４に係るパンチ器具は、前記した請求項１ないし請求項３のいずれかにおいて、前記穴明き台の短辺幅は前記刃付板の折り返し部の幅分短いことを特徴とする。
【００１２】
本発明の請求項５に係るパンチ器具は、前記した請求項１ないし請求項３のいずれかにおいて、前記ガイドシートの両端に折り返し部にさらに、内側に向かって第２の折り返し部が形成されていることを特徴とする。
【発明の効果】
【００１３】
本発明の請求項１に係るパンチ器具は、所定の構成の刃付板、穴明き台、ガイドシート、及びそれらを収納可能な収納部材を備え、刃付板は、規格紙に対して穴明けを行なうためのパンチ刃が一方の長辺の所定の位置に一直線上に構成されているため、規格紙Ａ４ならば３０穴、規格紙Ｂ５ならば２６穴の穴明けを一度に行なうことができる。前記穴明き台は、前記パンチ刃の間隔に等しい間隔で配設された、当該パンチ刃を嵌合するために複数のパンチ穴を有しているため、パンチ器具を収納部材により収納した状態のときに当該パンチ刃が当該穴明き台のパンチ穴内に、嵌合され保持される。このため、当該パンチ刃は当該穴明き台のパンチ穴内に保持されているから規格紙を傷付けたり、手が触れて怪我をするということがない。前記ガイドシートは短辺の両端に連接されている折り返し部により、規格紙の指示が容易に行なうことができる。また、当該ガイドシートの長辺の所定の位置の両端に配設されているパンチ穴により、前記刃付板のパンチ刃を嵌合することができ、Ａ４やＢ５のファイルに着脱することができる。さらに、パンチ器具をＡ４やＢ５のファイルに綴じ込み可能な構成にすることにより、持ち運びを容易にし、規格紙にパンチ穴を明けて規格紙をファイルへ綴じ込む作業もすばやく行うことができる。
【００１４】
また、収納部材は刃付板、穴明き台及びガイドシートを一つに収納するために断面が略長方形でスリット付の偏平筒であるため、スリットの空間部に略規格紙と同形状である前記ガイドシートを通すことができ、下部に前記穴明き台、上部に前記ガイドシート、さらに、上部に前記刃付板の順に、当該刃付板のパンチ刃を当該穴明き台のパンチ穴及び当該ガイドシートのパンチ穴に嵌合させる位置で組み合わせ、収納部材により一つに収納しファイルに綴じ込むことができる。このパンチ器具はＡ４やＢ５の規格紙に所定のパンチ穴を穴明けすることができ、且つファイルに容易に綴じこむことができる機能を同時に備えることができるパンチ器具である。
【００１５】
本発明の請求項２に係るパンチ器具は、刃付板に折り返し部が形成されているため、当該刃付板の折り返し部を前記穴明き台の長辺の端に合わせることにより、パンチ穴を明ける際に当該刃付板の位置決めが容易に行なうことができる。
【００１６】
本発明の請求項３に係るパンチ器具は、穴明き台に折り返し部が形成されているため、規格紙の長辺の端を当該穴明き台の折り返し部に合わせることにより、パンチ穴を明ける際に規格紙の位置決めが容易に行なうことができる。
【００１７】
本発明の請求項４にかかるパンチ器具は、穴明き台の短辺は前記刃付板の折り返し部の幅分短いので、下部に折り返し部を備えた前記穴明き台、上部に前記ガイドシート、さらに、上部に折り返し部を備えた前記刃付板の順に、当該刃付板のパンチ刃を当該穴明き台のパンチ穴及び当該ガイドシートのパンチ穴に嵌合させる位置で組み合わせた時にコンパクトに収納することができる。
【００１８】
本発明の請求項５に係るパンチ器具は、ガイドシートの両端の折り返し部に、内側に向かって第２の折り返し部が形成されているため、規格紙を折り返し部及び第２折り返し部に合わせることができ規格紙が穴明けを行なう位置から逸れることなく、より容易に規格紙の位置決めを行なうことができる。
【発明を実施するための最良の形態】
【００１９】
以下、本発明の実施例を図１〜図１３を用いて詳細に説明する。
図１は本発明に係るパンチ器具の全体の正面図である、図２は本発明に係るパンチ器具の全体のＡ−Ａ断面図である、図３は本発明に係るパンチ器具を構成する刃付板の正面図である、図４は本発明に係るパンチ器具を構成する刃付板のＢ−Ｂ断面図である、図５は本発明に係るパンチ器具を構成する穴明き台の正面図である、図６は本発明に係るパンチ器具を構成する穴明き台のＣ−Ｃ断面図である、図７は本発明に係るパンチ器具を構成するガイドシートの正面図である、図８は本発明に係るパンチ器具を構成するガイドシートのＤ−Ｄ断面図である、図９は本発明に係るパンチ器具を構成するガイドシートのア部拡大図である、図１０は本発明に係るパンチ器具を構成する収納部材の正面図である、図１１は本発明に係るパンチ器具を構成する収納部材の斜視図である、図１２は本発明に係るパンチ器具を構成する収納部材のＥ−Ｅ断面図である、図１３は本発明に係るパンチ器具を構成する収納部材のイ部拡大図である。
【００２０】
ここで、図１〜図１３中、１はパンチ器具、３は刃付板、５は穴明き台、７はガイドシート、９は収納部材、刃付板のパンチ刃３１、穴明き台のパンチ穴５１、ガイドシートのパンチ穴７１、ガイドシートの折り返し部７３、収納部材のスリット９３、規格紙１００、ファイル１０１、を示す。
【００２１】
（Ｉ）パンチ器具の構成：
図１及び図２に示すように、本発明のパンチ器具１は、Ａ４やＢ５の規格紙１００にも所定のパンチ穴を穴明けすることができ、且つファイルに容易に綴じこむことができるパンチ器具１である。規格紙１００に対して穴明けを行うための複数のパンチ刃３１が配設されている刃付板３、当該刃付板３のパンチ刃３１を嵌合するための複数のパンチ穴５１が配設されている穴明き台５と、規格紙１００の位置を指示するための折り返し部７３が連接され、ファイル１０１に綴じ込むためのパンチ穴７２と当該刃付板３のパンチ刃３１を嵌合するためのパンチ穴７１が配設されているガイドシート７を備え、前記刃付板３と前記穴明き台５、及び前記ガイドシート７を図１及び図２に示すように収納するための収納部材９からなり、構成としては下部に前記穴明き台５、上部に前記ガイドシート７、さらに、上部に前記刃付板５の順に、当該刃付板３のパンチ刃３１を当該穴明き台５のパンチ穴５１及び当該ガイドシート７のパンチ穴７１に嵌合させる位置で組み合わせ、図１４に示すように組み合わせた状態で、収納部材９の側面に形成されたスリット９１の空間部より前記ガイドシート７を通し、図１５の矢印Ａの方向に収納部材９をスライドし挿入して収納することを基本構成としている。
【００２２】
図３及び図４に示すように、パンチ刃３１が配設される刃付板３は略長方形の薄板で、例えば、合成樹脂等の材料で構成することが出来る。厚さとしては特に制限はないが、３．００ｍｍ程度とすることが好ましい。
【００２３】
刃付板３には、規格紙１００に対して穴明けを行うためのパンチ刃３１が長辺の所定の位置に沿って一列に配設されており、例えば、合成樹脂や金属材料等の材料で形成することができる。パンチ刃３１の配設数はＡ４ならば３０個、Ｂ５ならば２６個が好ましく、特に数に制限はない。さらに、パンチ刃３１の配設間隔は９．５０ｍｍ程度が好ましく、パンチ刃３１の直径は５．００ｍｍとすることが好ましい。また、前記穴明き台５の長辺の端に合わせるための、当該刃付板３の位置を指示するために当該刃付板３のパンチ刃３１側の長辺の端には折り返し部３２が構成されてもよく、折り返し部幅３２Ａは２．００ｍｍ〜４．００ｍｍが好ましく、高さは底部より７．００ｍｍ程度とすることが好ましい。このため刃付板３の側面３４は略Ｌ字型の構造を備えてもよい。
【００２４】
図５及び図６に示すように、パンチ穴５１が配設されている穴明き台５は略長方形の薄板で、例えば、合成樹脂等の材料で構成することが出来る。厚さとしては特に制限はないが、２．００ｍｍ程度とすることが好ましい。
【００２５】
穴明き台５には、当該刃付板３のパンチ刃３１を嵌合するためのパンチ穴５１が長辺の所定の位置に沿って一列に配設されており、パンチ穴５１の配設数はＡ４ならば３０穴、Ｂ５ならば２６穴が好ましく、特に数に制限はない。さらに、パンチ穴５１の配設間隔は９．５０ｍｍ程度が好ましく、パンチ穴５１の直径は６．００ｍｍ程度とすることが好ましい。また、当該穴明き台５のパンチ穴５１側の長辺の端には規格紙１００の縁に合わせて規格紙１００の位置を指示するための折り返し部５２が構成されてもよく、折り返し部幅５２Ａは２．００ｍｍ〜４．００ｍｍが好ましく、高さは底部より４．００ｍｍ程度とすることが好ましい。このため、穴明き台５の側面５４は略Ｌ字型の構造を備えてもよい。また、図１４に示すように折り返し部５２を備えた穴明き台５の上部にガイドシート７、さらに、上部に折り返し部３２を備えた刃付板３を当該刃付板３のパンチ刃３１を当該穴明き台５のパンチ穴５１及び当該ガイドシート７のパンチ穴７１に嵌合させる位置で組み合わせた時にコンパクトに収納するために側面幅５４Ｂは側面幅３４Ｂより折り返し部幅３２Ａ分短い構造を備えている。
【００２６】
図７、図８及び図９に示すように、パンチ穴７１及びパンチ穴７２、折り返し部７３が配設されるガイドシート７は略規格紙と同形状で、例えば、合成樹脂等の材料で構成することが出来る。厚さとしては特に制限はないが２．００ｍｍ程度とすることが好ましい。
【００２７】
ガイドシート７は、当該刃付板３のパンチ刃３１を嵌合するためのパンチ穴７１及びファイル１０１に綴じ込むためのパンチ穴７２が長辺の両端の所定の位置に沿って一列に配設され、規格紙１００の位置を指示するために短辺の両端に直交した折り返し部７３が連接されている。また、規格紙１００の位置決めをより容易に行なうためにガイドシート７の折り返し部７３の内側に直交した第２折り返し部７４が連接される構造を備えてもよい。また、当該ガイドシート７の折り返し幅７３Ａは２．００ｍｍ程度、第２折り返し幅７４Ｂは４．００ｍｍ程度とすることが好ましい。さらに、ガイドシート７の上部に刃付板３を組み合わせたときにコンパクトに収納するために折り返し部７３及び第２折り返し部７４は片端、もしくは両端の端より刃付板３の側面幅３４Ｂの短辺分、図７及び図８に示すように取り除かれる構造を備えている。
【００２８】
図１０、図１１、図１２及び図１３に示すように収納部材９は刃付板３と穴明き台５、及びガイドシート７の収納するために断面が略長方形でスリット９３付の偏平筒であり、例えば、合成樹脂等やゴム等の材料で構成することができる。厚さとしては特に制限はないが２．００ｍｍ程度とすることが好ましい。
【００２９】
収納部材９の前記刃付板３の収納を容易にするために折り返し部９１の折り返し部幅９１Ａは当該刃付板３と同様の厚さで３．００ｍｍ程度とすることが好ましい。前記穴明き台５の収納を容易にするために折り返し部９２の折り返し部幅９２Ｂは当該穴明き台５と同様の厚さで２．００ｍｍ程度とすることが好ましい。収納部材９の当該ガイドシート７を差し込むための空間部であり、側面に形成されているスリット９３のスリット幅９３Ａはガイドシート７の厚さと同様の２．００ｍｍ程度とすることが好ましい。収納部材９の内幅９４は、当該刃付板３、当該穴明き台５及びガイドシート７の厚さをあわせたもので７．００ｍｍ程度とすることが好ましい。また、収納部材９は、下部に前記穴明き台５、上部に前記ガイドシート７、さらに、上部に前記刃付板３の順に、当該刃付板３のパンチ刃３１を当該穴明き台５のパンチ穴５１及び当該ガイドシート７のパンチ穴７１に嵌合させる位置で組み合わせ、図１のパンチ器具１のようにスリット９３の空間部より長手方向にスライドし挿入可能な構成である。
【００３０】
（II）パンチ器具１の使用方法：
図１及び図２に示すパンチ器具１は、図１４に示すように下部に穴明き台５、上部にガイドシート７、さらに、上部に前記刃付板３の順に、当該刃付板３のパンチ刃３１を当該穴明き台５のパンチ穴５１及び当該ガイドシート７のパンチ穴７１に嵌合させる位置で組み合わせた状態で収納部材９を図１５の矢印Ａの方向にスライドし、スリット９３によりガイドシート７が差し支えなく収納することができる。さらに図１８のようにガイドシート７のパンチ穴７２により、ファイル１０１に着脱することができる。図１６は、パンチ器具１の全体の態様を表したものです。また、図１７に示すように本発明のパンチ器具１は、下部よりガイドシート７、規格紙１００の端を図１７の矢印Ａの方向に移動させ穴明き台５の折り返し部５２に合わせながら重ね合わせ、これらの上部より刃付板３に矢印Ｂの方向に力を加えパンチ穴の穴明けを行なう。
【００３１】
（III）本発明に係るパンチ器具１の効果：
本発明のパンチ器具1は、所定の構成の刃付板３、穴明き台５、ガイドシート７、及びそれらを収納可能な収納部材９を備え、刃付板３は、規格紙１００に対して穴明けを行なうためのパンチ刃３１が一方の長辺の所定の位置に一直線上に構成されているため、規格紙Ａ４ならば３０穴、規格紙Ｂ５ならば２６穴の穴明けを一度に行なうことができる。前記穴明き台５は、前記パンチ刃３１の間隔に等しい間隔で配設された、当該パンチ刃３１を嵌合するために複数のパンチ穴５１を有しているため、収納部材９により収納した状態のときに当該パンチ刃３１が当該穴明き台５のパンチ穴５１内に、嵌合され保持される。このため、当該パンチ刃３１は当該穴明き台５のパンチ穴５１内に保持されているから規格紙１００を傷つけたり、手が触れて怪我をするということがない。前記ガイドシート７は短辺の両端に連接されている折り返し部７３により、規格紙の指示が容易に行なうことができる。また、当該ガイドシート７の長辺の所定の位置の両端に配設されているパンチ穴７１及びパンチ穴７２により、前記刃付板３のパンチ刃３１を嵌合することができ、Ａ４やＢ５のファイル１０１に着脱することができる。さらに、パンチ器具１をＡ４やＢ５のファイル１０１に綴じ込み可能な構成にすることにより、持ち運びを容易にし、規格紙１００にパンチ穴を明けて規格紙１００をファイル１０１へ綴じ込む作業もすばやく行うことができる。
【００３２】
また、収納部材９は前記刃付板３、前記穴明き台５及び前記ガイドシート７を一つに収納するために断面が略長方形でスリット９３付の偏平筒であるため、スリット９３の空間部に略規格紙と同形状である前記ガイドシート７を通すことができ、下部に前記穴明き台５、上部に前記ガイドシート７、さらに、上部に前記刃付板３の順に、当該刃付板３のパンチ刃３１を当該穴明き台５のパンチ穴５１及び当該ガイドシート７のパンチ穴７１に嵌合させる位置で組み合わせ、収納部材９により一つに収納しファイル１０１に綴じ込むことができる。このパンチ器具１はＡ４やＢ５の規格紙１００に所定のパンチ穴を穴明けすることができ、且つファイル１０１に容易に綴じこむことができる機能を同時に備えることができるパンチ器具１である。
【００３３】
前記刃付板３には折り返し部３２が構成されているため、当該刃付板３の折り返し部３２を前記穴明き台５の長辺の端に合わせることにより、パンチ穴を明ける際に当該刃付板３の位置決めが容易に行なうことができる。
【００３４】
前記穴明き台５には折り返し部５２が構成されているため、規格紙１００の長辺の端を当該穴明き台５の折り返し部５２に合わせることにより、パンチ穴を明ける際に規格紙１００の位置決めが容易に行なうことができる。
【００３５】
前記穴明き台５の短辺は前記刃付板３の折り返し部３２の折り返し部幅３２Ａ分短小であるため、下部に折り返し部５２を備えた前記穴明き台５、上部に前記ガイドシート７、さらに、上部に折り返し部３２を備えた前記刃付板３の順に、当該刃付板３のパンチ刃３１を当該穴明き台５のパンチ穴５１及び当該ガイドシート７のパンチ穴７１に嵌合させる位置で組み合わせた時にコンパクトに収納することができる。
【００３６】
前記ガイドシート７の両端の折り返し部７３に、直交し内側に第２折り返し部７４が構成されている。このため、規格紙１００を折り返し部７３及び第２折り返し部７４に合わせることができ規格紙１００が穴明けを行なう位置から逸れることなく、より容易に規格紙１００の位置決めを行なうことができる。
【００３７】
なお、以上説明した態様は、本発明の一態様を示したものであって、本発明は、前記記載した実施形態に限定されるものではなく、本発明の構成を備え、目的及び効果を達成できる範囲内での変形や改良が、本発明の内容に含まれるものであることはいうまでもない。例えば、前記した実施形態では、前記刃付板３の折り返し部３２、穴明き台７の折り返し５２、ガイドシート７の第２折り返し部７を配設した例を示したが、これらの配設は任意である。
【図面の簡単な説明】
【００３８】
【図１】本発明に係るパンチ器具の全体の正面図である。
【図２】本発明に係るパンチ器具の全体のＡ−Ａ断面図である。
【図３】本発明に係るパンチ器具を構成する刃付板の正面図である。
【図４】本発明に係るパンチ器具を構成する刃付板のＢ−Ｂ断面図である。
【図５】本発明に係るパンチ器具を構成する穴明き台の正面図である。
【図６】本発明に係るパンチ器具を構成する穴明き台のＣ−Ｃ断面図である。
【図７】本発明に係るパンチ器具を構成するガイドシートの正面図である。
【図８】本発明に係るパンチ器具を構成するガイドシートのＤ−Ｄ断面図である。
【図９】本発明に係るパンチ器具を構成するガイドシートのア部拡大図である。
【図１０】本発明に係るパンチ器具を構成する収納部材の正面図である。
【図１１】本発明に係るパンチ器具を構成する収納部材の斜視図である。
【図１２】本発明に係るパンチ器具を構成する収納部材のＥ−Ｅ断面図である。
【図１３】本発明に係るパンチ器具を構成する収納部材のイ部拡大図である。
【図１４】本発明に係るパンチ器具の組み合わせの一例である。
【図１５】本発明に係るパンチ器具の組み合わせの一例である。
【図１６】本発明に係るパンチ器具の立体図である。
【図１７】本発明に係るパンチ器具の使用例である。
【図１８】本発明に係るパンチ器具のファイル取り付け図である。
【符号の説明】
【００３９】
１  パンチ器具
３  刃付板
５  穴明き台
７  ガイドシート
９  収納部材
３１  パンチ刃
３２  折り返し部
３２Ａ  折り返し部幅
３４  側面
３４Ｂ  側面幅
５１  パンチ穴
５２  折り返し部
５２Ａ  折り返し部幅
５４  側面
５４Ｂ  側面幅
７１  パンチ穴
７２  パンチ穴
７３  折り返し部
７４  第２折り返し部
ア  ア部拡大
９１  折り返し部
９１Ａ  折り返し部幅
９２  折り返し部
９２Ｂ  折り返し部幅
９３  スリット
９３Ａ  スリット幅
９４  内幅
イ  イ部拡大
１００  規格紙
１０１  ファイル
【図１】
2008238346.tif 000003
【図２】
2008238346.tif 000004
【図３】
2008238346.tif 000005
【図４】
2008238346.tif 000006
【図５】
2008238346.tif 000007
【図６】
2008238346.tif 000008
【図７】
2008238346.tif 000009
【図８】
2008238346.tif 000010
【図９】
2008238346.tif 000011
【図１０】
2008238346.tif 000012
【図１１】
2008238346.tif 000013
【図１２】
2008238346.tif 000014
【図１３】
2008238346.tif 000015
【図１４】
2008238346.tif 000016
【図１５】
2008238346.tif 000017
【図１６】
2008238346.tif 000018
【図１７】
2008238346.tif 000019
【図１８】
2008238346.tif 000020
【手続補正書】
【提出日】平成19年7月31日(2007.7.31)
【手続補正１】
【補正対象書類名】特許請求の範囲
【補正対象項目名】請求項１
【補正方法】変更
【補正の内容】
【請求項１】
長方形状の板体からなる刃付板本体の一方の長辺の所定の位置に、少なくとも１枚の紙を同時に着脱可能な綴じ込み機能を備えたファイルに配設される綴じ込み器具の間隔に等しい間隔で、規格紙に対して穴明けを行うための複数のパンチ刃が配設されている刃付板と、長方形状の板体からなる穴明き台本体の一方の長辺の所定の位置に、前記パンチ刃の間隔に等しい間隔で配設された、当該刃付板のパンチ刃を嵌合するための複数のパンチ穴が配設されている穴明き台と、規格紙と同形状の薄板体からなり、当該薄板体の長辺の両端の所定の位置に前記パンチ刃の間隔に等しい間隔でパンチ穴が配設されるとともに、当該薄板体の短辺の両端には、規格紙の位置を定置するために、短辺の両端に断面Ｌ字状の折り返し部が、当該薄板体の短辺の一方の端から少なくとも前記刃付板の長手方向の端面幅分省かれているように形成されたガイドシートを備え、断面が長方形で側面にスリットが形成された偏平筒であり、前記穴明き台、前記ガイドシート、前記刃付板の順に重ねて体化させたとき、前記スリットより長手方向にスライドして挿入可能となる、前記刃付板と前記穴明き台、及び前記ガイドの収納するための収納部材、によって構成されることを特徴とするパンチ器具。
【手続補正２】
【補正対象書類名】明細書
【補正対象項目名】０００８
【補正方法】変更
【補正の内容】
【０００８】
この目的を達成するため、本発明の請求項１に係るパンチ器具は、長方形状の板体からなる刃付板本体の一方の長辺の所定の位置に、少なくとも１枚の紙を同時に着脱可能な綴じ込み機能を備えたファイルに配設される綴じ込み器具の間隔に等しい間隔で、規格紙に対して穴明けを行うための複数のパンチ刃が配設されている刃付板と、長方形状の板体からなる穴明き台本体の一方の長辺の所定の位置に、前記パンチ刃の間隔に等しい間隔で配設された、当該刃付板のパンチ刃を嵌合するための複数のパンチ穴が配設されている穴明き台と、規格紙と同形状の薄板体からなり、当該薄板体の長辺の両端の所定の位置に前記パンチ刃の間隔に等しい間隔でパンチ穴が配設されるとともに、当該薄板体の短辺の両端には、規格紙の位置を定置するために、短辺の両端に断面Ｌ字状の折り返し部が、当該薄板体の短辺の一方の端から少なくとも前記刃付板の長手方向の端面幅分省かれているように形成されたガイドシートを備え、断面が長方形で形成された偏平筒であり、前記穴明き台、前記ガイドシート、前記刃付板の順に重ねて一体化させたとき、前記スリットより長手方向にスライドして挿入可能となる、前記刃付板と前記穴明き台、及び前記ガイドシートの収納するための収納部材、によって構成されることを特徴とする。
【手続補正３】
【補正対象書類名】明細書
【補正対象項目名】００１４
【補正方法】変更
【補正の内容】
【００１４】
また、収納部材は刃付板、穴明き台及びガイドシートを一つに収納するために断面が長方形でスリット付の偏平筒であるため、スリットに規格紙と同形状である前記ガイドシートを通すことができ、下部に前記穴明き台、上部に前記ガイドシート、さらに、上部に前記刃付板の順に、当該刃付板のパンチ刃を当該穴明き台のパンチ穴及び当該ガイドシートのパンチ穴に嵌合させる位置で組み合わせ、収納部材により一つに収納しファイルに綴じ込むことができる。このパンチ器具はＡ４やＢ５の規格紙に所定のパンチ穴を穴明けすることができ、且つファイルに容易に綴じこむことができる機能を同時に備えることができるパンチ器具である。
【手続補正４】
【補正対象書類名】明細書
【補正対象項目名】００２１
【補正方法】変更
【補正の内容】
【００２１】
（Ｉ）パンチ器具の構成：
図１及び図２に示すように、本発明のパンチ器具１は、Ａ４やＢ５の規格紙１００にも所定のパンチ穴を穴明けすることができ、且つファイルに容易に綴じこむことができるパンチ器具１である。規格紙１００に対して穴明けを行うための複数のパンチ刃３１が配設されている刃付板３、当該刃付板３のパンチ刃３１を嵌合するための複数のパンチ穴５１が配設されている穴明き台５と、規格紙１００の位置を指示するための折り返し部７３が連接され、ファイル１０１に綴じ込むためのパンチ穴７２と当該刃付板３のパンチ刃３１を嵌合するためのパンチ穴７１が配設されているガイドシート７を備え、前記刃付板３と前記穴明き台５、及び前記ガイドシート７を図１及び図２に示すように収納するための収納部材９からなり、構成としては下部に前記穴明き台５、上部に前記ガイドシート７、さらに、上部に前記刃付板５の順に、当該刃付板３のパンチ刃３１を当該穴明き台５のパンチ穴５１及び当該ガイドシート７のパンチ穴７１に嵌合させる位置で組み合わせ、図１４に示すように組み合わせた状態で、収納部材９の側面に形成されたスリット９１より前記ガイドシート７を通し、図１５の矢印Ａの方向に収納部材９をスライドし挿入して収納することを基本構成としている。
【手続補正５】
【補正対象書類名】明細書
【補正対象項目名】００２２
【補正方法】変更
【補正の内容】
【００２２】
図３及び図４に示すように、パンチ刃３１が配設される刃付板３は長方形の薄板で、例えば、合成樹脂等の材料で構成することが出来る。厚さとしては特に制限はないが、３．００ｍｍ程度とすることが好ましい。
【手続補正６】
【補正対象書類名】明細書
【補正対象項目名】００２３
【補正方法】変更
【補正の内容】
【００２３】
刃付板３には、規格紙１００に対して穴明けを行うためのパンチ刃３１が長辺の所定の位置に沿って一列に配設されており、例えば、合成樹脂や金属材料等の材料で形成することができる。パンチ刃３１の配設数はＡ４ならば３０個、Ｂ５ならば２６個が好ましく、特に数に制限はない。さらに、パンチ刃３１の配設間隔は９．５０ｍｍ程度が好ましく、パンチ刃３１の直径は５．００ｍｍとすることが好ましい。また、前記穴明き台５の長辺の端に合わせるための、当該刃付板３の位置を指示するために当該刃付板３のパンチ刃３１側の長辺の端には折り返し部３２が構成されてもよく、折り返し部幅３２Ａは２．００ｍｍ〜４．００ｍｍが好ましく、高さは底部より７．００ｍｍ程度とすることが好ましい。このため刃付板３の側面３４はＬ字型の構造を備えてもよい。
【手続補正７】
【補正対象書類名】明細書
【補正対象項目名】００２４
【補正方法】変更
【補正の内容】
【００２４】
図５及び図６に示すように、パンチ穴５１が配設されている穴明き台５は長方形の薄板で、例えば、合成樹脂等の材料で構成することが出来る。厚さとしては特に制限はないが、２．００ｍｍ程度とすることが好ましい。
【手続補正８】
【補正対象書類名】明細書
【補正対象項目名】００２５
【補正方法】変更
【補正の内容】
【００２５】
穴明き台５には、当該刃付板３のパンチ刃３１を嵌合するためのパンチ穴５１が長辺の所定の位置に沿って一列に配設されており、パンチ穴５１の配設数はＡ４ならば３０穴、Ｂ５ならば２６穴が好ましく、特に数に制限はない。さらに、パンチ穴５１の配設間隔は９．５０ｍｍ程度が好ましく、パンチ穴５１の直径は６．００ｍｍ程度とすることが好ましい。また、当該穴明き台５のパンチ穴５１側の長辺の端には規格紙１００の縁に合わせて規格紙１００の位置を指示するための折り返し部５２が構成されてもよく、折り返し部幅５２Ａは２．００ｍｍ〜４．００ｍｍが好ましく、高さは底部より４．００ｍｍ程度とすることが好ましい。このため、穴明き台５の側面５４はＬ字型の構造を備えてもよい。また、図１４に示すように折り返し部５２を備えた穴明き台５の上部にガイドシート７、さらに、上部に折り返し部３２を備えた刃付板３を当該刃付板３のパンチ刃３１を当該穴明き台５のパンチ穴５１及び当該ガイドシート７のパンチ穴７１に嵌合させる位置で組み合わせた時にコンパクトに収納するために側面幅５４Ｂは側面幅３４Ｂより折り返し部幅３２Ａ分短い構造を備えている。
【手続補正９】
【補正対象書類名】明細書
【補正対象項目名】００２６
【補正方法】変更
【補正の内容】
【００２６】
図７、図８及び図９に示すように、パンチ穴７１及びパンチ穴７２、折り返し部７３が配設されるガイドシート７は規格紙と同形状で、例えば、合成樹脂等の材料で構成することが出来る。厚さとしては特に制限はないが２．００ｍｍ程度とすることが好ましい。
【手続補正１０】
【補正対象書類名】明細書
【補正対象項目名】００２８
【補正方法】変更
【補正の内容】
【００２８】
図１０、図１１、図１２及び図１３に示すように収納部材９は刃付板３と穴明き台５、及びガイドシート７の収納するために断面が長方形でスリット９３付の偏平筒であり、例えば、合成樹脂等やゴム等の材料で構成することができる。厚さとしては特に制限はないが２．００ｍｍ程度とすることが好ましい。
【手続補正１１】
【補正対象書類名】明細書
【補正対象項目名】００２９
【補正方法】変更
【補正の内容】
【００２９】
収納部材９の前記刃付板３の収納を容易にするために折り返し部９１の折り返し部幅９１Ａは当該刃付板３と同様の厚さで３．００ｍｍ程度とすることが好ましい。前記穴明き台５の収納を容易にするために折り返し部９２の折り返し部幅９２Ｂは当該穴明き台５と同様の厚さで２．００ｍｍ程度とすることが好ましい。収納部材９の当該ガイドシート７を差し込むための空間部であり、側面に形成されているスリット９３のスリット幅９３Ｃはガイドシート７の厚さと同様の２．００ｍｍ程度とすることが好ましい。収納部材９の内幅９４は、当該刃付板３、当該穴明き台５及びガイドシート７の厚さをあわせたもので７．００ｍｍ程度とすることが好ましい。また、収納部材９は、下部に前記穴明き台５、上部に前記ガイドシート７、さらに、上部に前記刃付板３の順に、当該刃付板３のパンチ刃３１を当該穴明き台５のパンチ穴５１及び当該ガイドシート７のパンチ穴７１に嵌合させる位置で組み合わせ、図１のパンチ器具１のようにスリット９３より長手方向にスライドし挿入可能な構成である。
【手続補正１２】
【補正対象書類名】明細書
【補正対象項目名】００３２
【補正方法】変更
【補正の内容】
【００３２】
また、収納部材９は前記刃付板３、前記穴明き台５及び前記ガイドシート７を一つに収納するために断面が長方形でスリット９３付の偏平筒であるため、スリット９３の空間部に規格紙と同形状である前記ガイドシート７を通すことができ、下部に前記穴明き台５、上部に前記ガイドシート７、さらに、上部に前記刃付板３の順に、当該刃付板３のパンチ刃３１を当該穴明き台５のパンチ穴５１及び当該ガイドシート７のパンチ穴７１に嵌合させる位置で組み合わせ、収納部材９により一つに収納しファイル１０１に綴じ込むことができる。このパンチ器具１はＡ４やＢ５の規格紙１００に所定のパンチ穴を穴明けすることができ、且つファイル１０１に容易に綴じこむことができる機能を同時に備えることができるパンチ器具１である。
【手続補正１３】
【補正対象書類名】明細書
【補正対象項目名】００３９
【補正方法】変更
【補正の内容】
【００３９】
１  パンチ器具
３  刃付板
５  穴明き台
７  ガイドシート
９  収納部材
３１  パンチ刃
３２  折り返し部
３２Ａ  折り返し部幅
３４  側面
３４Ｂ  側面幅
５１  パンチ穴
５２  折り返し部
５２Ａ  折り返し部幅
５４  側面
５４Ｂ  側面幅
７１  パンチ穴
７２  パンチ穴
７３  折り返し部
７４  第２折り返し部
ア  ア部拡大
９１  折り返し部
９１Ａ  折り返し部幅
９２  折り返し部
９２Ｂ  折り返し部幅
９３  スリット
９３Ｃ  スリット幅
９４  内幅
イ  イ部拡大
１００  規格紙
１０１  ファイル